(57)【要約】【課題】モータ駆動回路にオープン故障やショート故障が生じた場合でも電動モータの駆動制御を継続することが可能なモータ制御装置、これを使用した電動パワーステアリング装置及び車両を提供する。【解決手段】ステータに少なくとも２系統となる第１及び第２の多相モータ巻線を巻装した多相電動モータに対する指令値を出力する指令値演算部と、該指令値に基づいて各多相モータ巻線に個別に第１及び第２の多相モータ駆動流を供給する第１及び第２のモータ駆動回路と、各のモータ駆動回路と各多相モータ巻線との間に個別に介挿された多相の第１及び第２のモータ電流遮断部と、各多相モータ駆動電流或いは電圧の異常を個別に検出する第１及び第２の異常検出部と、各異常検出部の何れか一方で少なくとも一相のモータ駆動電流の異常を検出したときに、異常を検出した側のモータ電流遮断部を電流遮断状態に制御する異常時電流制御部とを備えている。【選択図】図２
2014176215.tif 000002
【特許請求の範囲】
【請求項１】
多相電動モータを駆動制御するモータ制御装置であって、
前記多相電動モータは、ステータに少なくとも２系統となる第１及び第２の多相モータ巻線を巻装した構成を有し、
前記多相電動モータを駆動する指令値を出力する指令値演算部と、
該指令値演算部から出力される指令値に基づいて前記第１及び第２の多相モータ巻線に個別に第１及び第２の多相モータ駆動電流を供給する第１及び第２のモータ駆動回路と、
前記第１及び前記第２のモータ駆動回路と前記第１及び第２の多相モータ巻線との間に個別に介挿された多相の第１及び第２のモータ電流遮断部と、
前記第１及び前記第２の多相モータ駆動電流あるいは電圧の異常を個別に検出する第１及び第２の異常検出部と、
該第１及び第２の異常検出部の何れか一方で少なくとも一相のモータ駆動電流あるいは電圧の異常を検出したときに、異常を検出した側のモータ電流遮断部を電流遮断状態に制御する異常時電流制御部と
を備えていることを特徴とするモータ制御装置。
【請求項２】
前記第１及び第２のモータ駆動回路は、前記第１及び第２の多相モータ駆動電流を出力する第１及び第２の多相インバータ回路を有し、前記第１及び第２の異常検出部は、前記第１及び第２の多相インバータ回路を構成するスイッチング素子のオープン故障及びショート故障を検出するように構成されていることを特徴とする請求項１に記載のモータ制御装置。
【請求項３】
前記指令値演算部は、前記第１及び第２のモータ駆動回路に個別に対応する第１及び第２の指令値演算部で構成され、該第１及び第２の指令値演算部は演算動作を相互監視し、一方の指令値演算部が他方の指令値演算部の異常を検出したときに、異常となった指令値演算部の動作を停止させるとともに、前記対応するモータ電流遮断部を遮断する遮断指令を前記異常時電流制御部に出力することを特徴とする請求項１又は２に記載のモータ制御装置。
【請求項４】
前記第１及び第２の異常時電流制御部は、異常を検出したときに、前記第１及び第２のモータ電流遮断部における異常側の各相遮断部を同時に遮断することを特徴とする請求項１乃至３のいずれか１項に記載のモータ制御装置。
【請求項５】
前記各相遮断部は、寄生ダイオードの向きが同一方向となるように介挿された電界効果トランジスタで構成されていることを特徴とする請求項４に記載のモータ制御装置。
【請求項６】
前記第１及び第２のモータ駆動回路は、前記第１及び第２の多相インバータ回路と電源供給源との間に個別に第１及び第２の電源遮断部が介挿されていることを特徴とする請求項２に記載のモータ制御装置。
【請求項７】
前記第１及び第２の電源遮断部のそれぞれは複数の電源遮断素子を直列に接続した構成を有することを特徴とする請求項６に記載のモータ制御装置。
【請求項８】
前記第１及び第２の電源遮断部は一部の電源遮断素子を共通化した構成を有することを特徴とする請求項７に記載のモータ制御装置。
【請求項９】
前記第１及び第２の電源遮断部は、寄生ダイオードを有するスイッチング素子で構成され、各スイッチング素子が寄生ダイオードの向きが逆方向となるように逆直列接続されていることを特徴とする請求項７に記載のモータ制御装置。
【請求項１０】
前記第１及び第２の電源遮断部は、一部のスイッチング素子が共通化されていることを特徴とする請求項９に記載のモータ制御装置。
【請求項１１】
前記第１及び第２のモータ駆動回路に供給されるモータ駆動指令値は等分配されたモータトルク指令値であることを特徴とする請求項１乃至１０のいずれか１項に記載のモータ制御装置。
【請求項１２】
前記指令値演算部は、前記第１及び第２の異常検出部で多相モータ電流あるいは電圧の異常を検出したときに、正常なモータ駆動回路に対するモータ駆動指令値として許容電流値に達するまでは正常時のモータ駆動指令値の合計を表す指令値を設定することを特徴とする請求項１１に記載のモータ制御装置。
【請求項１３】
前記多相電動モータは、前記第１及び第２の多相モータ巻線のうちロータに対して同位相となる巻線が同一磁極に巻回されていることを特徴とする請求項１乃至１２のいずれか１項に記載のモータ制御装置。
【請求項１４】
同一磁極に巻回された第１及び第２の多相モータ巻線の磁極に対する巻回方向が逆方向とされ、且つ電流方向が逆方向となるように設定されていることを特徴とする請求項１３に記載のモータ制御装置。
【請求項１５】
前記第１及び第２のモータ駆動回路は、前記第１及び第２の多相モータ巻線のうちロータに対して同位相となる巻線に電流位相が互いに逆相となるモータ駆動電流を供給することを特徴とする請求項１４に記載のモータ制御装置。
【請求項１６】
前記第１及び第２のモータ駆動回路は、前記第１及び第２の多相モータ巻線に供給するモータ駆動電流のスイッチングタイミングが同時になるように設定したことを特徴とする請求項１５に記載のモータ制御装置。
【請求項１７】
前記多相電動モータは、ステータのスロット数が相数×２ｎ（ｎは２以上の整数）に設定され、当該スロット間の磁極に第１の多相モータ巻線及び第２の多相モータ巻線が交互に巻装されていることを特徴とする請求項１乃至１２の何れか１項に記載のモータ制御装置。
【請求項１８】
前記第１の多相モータ巻線及び第２の多相モータ巻線の磁極に対する巻回方向が互いに逆方向となるように設定されていることを特徴とする請求項１７に記載のモータ制御装置。
【請求項１９】
前記第１及び第２のモータ駆動回路は、前記第１及び第２のインバータ回路に供給するスイッチングキャリア信号を同期させたことを特徴とする請求項２から１８の何れか１項に記載のモータ制御装置。
【請求項２０】
前記第１及び第２のモータ駆動回路は、前記第１及び第２のインバータ回路に供給するスイッチングキャリア信号の周期を発生ノイズが分散するようにずらして非同期としたことを特徴とする請求項２から１８の何れか１項に記載のモータ制御装置。
【請求項２１】
ステアリング機構に操舵補助力を発生させる電動モータを含むモータ制御装置を前記請求項１〜２０の何れか１項に記載のモータ制御装置で構成したことを特徴とする電動パワーステアリング装置。
【請求項２２】
前記請求項１乃至２０の何れか１項に記載のモータ制御装置を備えたことを特徴とする車両。
【発明の詳細な説明】
【技術分野】
【０００１】
本発明は、車両に搭載された多相電動モータを駆動制御するモータ制御装置、これを使用した電動パワーステアリング装置及び車両に関する。
【背景技術】
【０００２】
車両に搭載する電動パワーステアリング装置の電動モータや、電動ブレーキ装置の電動モータ、電気自動車やハイブリッド車の走行用電動モータ等を駆動制御するモータ制御装置は、モータ制御系に異常が発生した場合でも電動モータの駆動を継続できることが望まれている。
上記要望に応えるために、多相電動モータの多相モータ巻線を例えば二重化し、二重化した多相モータ巻線に対して個別のインバータ部から電流を供給し、一方のインバータ部のスイッチング手段に導通不可となるオフ故障すなわちオープン故障が生じた場合に、故障が生じた故障スイッチング手段を特定し、故障スイッチング手段を除くスイッチング手段を制御するとともに、故障スイッチング手段を含む故障インバータ部以外の正常インバータ部を制御する故障時制御手段を有する多相回転機の制御装置およびこれを用いた電動パワーステアリング装置が提案されている（例えば、特許文献１参照）。
【先行技術文献】
【特許文献】
【０００３】
【特許文献１】特許第４９９８８３６号公報
【発明の概要】
【発明が解決しようとする課題】
【０００４】
ところで、前述した特許文献１に記載された従来例にあっては、二重化したインバータ部の一方に、スイッチング手段のオフ故障が発生した場合に、オフ故障した故障スイッチング手段を除くスイッチング手段を制御するとともに、故障スイッチング手段を含む故障インバータ部を制御することによるトルクの低下分を正常なインバータ部におけるｑ軸電流指令値を補正することにより、トルクの低下を抑制しながら多相回転機の駆動制御を継続するようにしている。
【０００５】
このため、上記従来例では、インバータ部のスイッチング手段にオフ故障が生じた場合には、十分なトルクを発生することができるが、インバータ部のスイッチング手段にてショート故障が生じた場合には、対処できないという未解決の課題がある。
そこで、本発明は、上記従来例の未解決の課題に着目してなされたものであり、モータ駆動回路にオープン故障やショート故障が生じた場合でも電動モータの駆動制御を継続することが可能なモータ制御装置、これを使用した電動パワーステアリング装置及び車両を提供することを目的としている。
【課題を解決するための手段】
【０００６】
上記目的を解決するために、本発明に係るモータ制御装置の一態様は、多相電動モータを駆動制御するモータ制御装置であって、前記多相電動モータは、ステータに少なくとも２系統となる第１及び第２の多相モータ巻線を巻装した構成を有し、前記多相電動モータを駆動する指令値を出力する指令値演算部と、該指令値演算部から出力される指令値に基づいて前記第１及び第２の多相モータ巻線に個別に第１及び第２の多相モータ駆動電流を供給する第１及び第２のモータ駆動回路と、前記第１及び前記第２のモータ駆動回路と前記第１及び第２の多相モータ巻線との間に個別に介挿された多相の第１及び第２のモータ電流遮断部と、前記第１及び前記第２の多相モータ駆動電流あるいは電圧の異常を個別に検出する第１及び第２の異常検出部と、該第１及び第２の異常検出部の何れか一方で少なくとも一相のモータ駆動電流あるいは電圧の異常を検出したときに、異常を検出した側のモータ電流遮断部を電流遮断状態に制御する異常時電流制御部とを備えている。
【０００７】
また、本発明に係る電動パワーステアリング装置の一態様は、上記モータ制御装置をステアリング機構に操舵補助力を発生させる電動モータを含むモータ制御装置に適用している。
さらに、本発明に係る車両の一態様は、上述したモータ制御装置を備えている。
【発明の効果】
【０００８】
本発明によれば、多相電動モータに少なくとも２系統の多相モータ巻線を巻装し、各多相モータ巻線に個別のモータ駆動回路で多相モータ駆動電流を供給するとともに、各モータ駆動回路及び多相モータ巻線間にモータ電流遮断部を設け、各多相モータ駆動電流或いは電圧の一方に異常が発生した場合に、異常が発生した多相モータ駆動電流の供給系統に設けたモータ電流遮断部を遮断する。このため、モータ駆動回路にオープン故障やショート故障が発生した場合でも正常なモータ駆動回路で電動モータの駆動を継続することができる。
【０００９】
また、上記効果を有するモータ制御装置を含んで電動パワーステアリング装置を構成するので、少なくとも２系統の多相モータ駆動電流の一方に異常が発生した場合でも正常なモータ駆動回路で多相モータ駆動電流を電動モータに供給することができ電動パワーステアリング装置の操舵補助機能の継続が可能となる。
さらに、上記効果を有するモータ制御装置を含んで車両を構成するので、多相電動モータの少なくとも２系統のモータ駆動回路の一方に異常が発生した場合でも正常なモータ駆動回路で多相モータ駆動電流を電動モータに供給して電動モータでのトルク発生を継続することができ、電動モータの信頼性を向上させる車両を提供することができる。
【図面の簡単な説明】
【００１０】
【図１】本発明に係る電動パワーステアリング装置の第１の実施形態を示すシステム構成図である。
【図２】第１の実施形態におけるモータ制御装置の具体的構成を示す回路図である。
【図３】第１の実施形態における３相電動モータの構成を示す断面図である。
【図４】図３の３相電動モータの巻線構造を示す模式図である。
【図５】正常時の操舵トルクと操舵補助電流指令値との関係を示す特性線図である。
【図６】異常時の操舵トルクと操舵補助電流指令値との関係を示す特性線図である。
【図７】本発明の第２の実施形態を示す回路図である。
【図８】本発明の第３の実施形態における３相電動モータの構成を示す断面図である。
【図９】第３の実施形態における効果の説明に供する信号波形図である。
【図１０】本発明の第４の実施形態を示す回路図である。
【図１１】本発明の第５の実施形態を示す回路図である。
【図１２】本発明に適用し得る３相電動モータの他の例を示す断面図である。
【図１３】図１２の３相電動モータの巻線構造を示す模式図である。
【図１４】本発明に適用しうる３相電動モータのさらに他の例を示す断面図である。
【発明を実施するための形態】
【００１１】
以下、本発明の実施の形態を図面に基づいて説明する。
図１は、本発明のモータ制御装置を車両に搭載した電動パワーステアリング装置に適用した場合の第１の実施形態を示す全体構成図である。
図中、符号１は、ステアリングホイールであり、このステアリングホイール１に運転者から作用される操舵力がステアリングシャフト２に伝達される。このステアリングシャフト２は、入力軸２ａと出力軸２ｂとを有する。入力軸２ａの一端はステアリングホイール１に連結され、他端は操舵トルクセンサ３を介して出力軸２ｂの一端に連結されている。
【００１２】
そして、出力軸２ｂに伝達された操舵力は、ユニバーサルジョイント４を介してロアシャフト５に伝達され、さらに、ユニバーサルジョイント６を介してピニオンシャフト７に伝達される。このピニオンシャフト７に伝達された操舵力はステアリングギヤ８を介してタイロッド９に伝達され、図示しない転舵輪を転舵させる。ここで、ステアリングギヤ８は、ピニオンシャフト７に連結されたピニオン８ａとこのピニオン８ａに噛合するラック８ｂとを有するラックアンドピニオン形式に構成され、ピニオン８ａに伝達された回転運動をラック８ｂで車幅方向の直進運動に変換している。
【００１３】
ステアリングシャフト２の出力軸２ｂには、操舵補助力を出力軸２ｂに伝達する操舵補助機構１０が連結されている。この操舵補助機構１０は、出力軸２ｂに連結した例えばウォームギヤ機構で構成される減速ギヤ１１と、この減速ギヤ１１に連結された操舵補助力を発生する例えば３相ブラシレスモータで構成される多相電動モータとしての３相電動モータ１２とを備えている。
操舵トルクセンサ３は、ステアリングホイール１に付与されて入力軸２ａに伝達された操舵トルクを検出するもので、例えば、操舵トルクを入力軸２ａ及び出力軸２ｂ間に介挿した図示しないトーションバーの捩れ角変位に変換し、この捩れ角変位を抵抗変化や磁気変化に変換して検出するように構成されている。
【００１４】
また、３相電動モータ１２は、図３に示すように、内周面に内方に突出形成されてスロットＳＬを形成する磁極となる例えば９本のティースＴを有するステータ１２Ｓと、このステータ１２Ｓの内周側にティースＴと対向して回転自在に配置された例えば６極の表面磁石型のロータ１２Ｒとを有するＳＰＭモータの構成を有する。
そして、ステータ１２ＳのスロットＳＬに、２系統の多相モータ巻線となる第１の３相モータ巻線Ｌ１と第２の３相モータ巻線Ｌ２とが巻装されている。第１の３相モータ巻線Ｌ１は、Ｕ相コイルＬ１ｕ、Ｖ相コイルＬ１ｖ及びＷ相コイルＬ１ｗの一端が互いに接続されてスター結線とされ、各相コイルＬ１ｕ、Ｌ１ｖ及びＬ１ｗの他端がモータ制御装置２０に接続されて個別にモータ駆動電流Ｉ１ｕ、Ｉ１ｖ及びＩ１ｗが供給されている。
【００１５】
各相コイルＬ１ｕ、Ｌ１ｖ及びＬ１ｗは、それぞれ３つのコイル部Ｌ１ｕａ〜Ｌ１ｕｃ、Ｌ１ｖａ〜Ｌ１ｖｃ及びＬ１ｗａ〜Ｌ１ｗｃが形成されている。これらコイル部Ｌ１ｕａ〜Ｌ１ｕｃ、Ｌ１ｖａ〜Ｌ１ｖｃ及びＬ１ｗａ〜Ｌ１ｗｃは、スロットＳＬの外側に、時計方向にＬ１ｕａ、Ｌ１ｖａ、Ｌ１ｗａ、Ｌ１ｕｂ、Ｌ１ｖｂ、Ｌｗ１ｂ……の順に巻装されている。
【００１６】
また、第２の３相モータ巻線Ｌ２は、Ｕ相コイルＬ２ｕ、Ｖ相コイルＬ２ｖ及びＷ相コイルＬ２ｗの一端が互いに接続されてスター結線とされ、各相コイルＬ２ｕ、Ｌ２ｖ及びＬ２ｗの他端がモータ制御装置２０に接続されて個別にモータ駆動電流Ｉ２ｕ、Ｉ２ｖ及びＩ２ｗが供給されている。
各相コイルＬ２ｕ、Ｌ２ｖ及びＬ２ｗは、それぞれ３つのコイル部Ｌ２ｕａ〜Ｌ２ｕｃ、Ｌ２ｖａ〜Ｌ２ｖｃ及びＬ２ｗａ〜Ｌ２ｗｃが形成されている。これらコイル部Ｌ２ｕａ〜Ｌ２ｕｃ、Ｌ２ｖａ〜Ｌ２ｖｃ及びＬ２ｗａ〜Ｌ２ｗｃは、スロットＳＬの内側に、第１の３相コイル巻線Ｌ１と同相のコイル部が重なるように時計方向にＬ２ｕａ、Ｌ２ｖａ、Ｌ２ｗａ、Ｌ２ｕｂ、Ｌ２ｖｂ、Ｌ２ｗｂ……の順に巻装されている。
【００１７】
そして、各相コイルＬ１ｕ〜Ｌ１ｗのコイル部Ｌ１ｕａ〜Ｌ１ｕｃ、Ｌ１ｖａ〜Ｌ１ｖｃ及びＬ１ｗａ〜Ｌ１ｗｃ及び各相コイルＬ２ｕ〜Ｌ２ｗのコイル部Ｌ２ｕａ〜Ｌ２ｕｃ、Ｌ２ｖａ〜Ｌ２ｖｃ及びＬ２ｗａ〜Ｌ２ｗｃはティースＴを挟むスロットＳＬに通電電流の方向が同一方向となるように巻装されている。
さらに、３相電動モータ１２は、図２に示すように、ロータの回転位置を検出するホール素子などの回転位置センサ１３ａを備えている。この回転位置センサ１３ａからの検出値がロータ回転角検出回路１３に供給されてこのロータ回転角検出回路１３でロータ回転角θｍを検出する。
モータ制御装置２０には、操舵トルクセンサ３で検出された操舵トルクＴ及び車速センサ２１で検出された車速Ｖｓが入力されるとともに、ロータ回転角検出回路１３から出力されるロータ回転角θｍが入力される。
【００１８】
また、モータ制御装置２０には、直流電流源としてのバッテリー２２から直流電流が入力されている。
モータ制御装置２０の具体的構成は、図２に示すように構成されている。すなわち、モータ制御装置２０は、モータ電流指令値を演算する制御演算装置３１と、この制御演算装置３１から出力されるモータ電流指令値が個別に入力される第１及び第２のモータ駆動回路３２Ａ及び３２Ｂと、これら第１及び第２のモータ駆動回路３２Ａ及び３２Ｂの出力側と３相電動モータ１２の第１及び第２の多相モータ巻線Ｌ１及びＬ２との間に介挿された第１及び第２のモータ電流遮断回路３３Ａ及び３３Ｂとを備えている。
【００１９】
制御演算装置３１には、図２には図示を省略しているが、図１に示す操舵トルクセンサ３で検出した操舵トルクＴ及び車速センサ２１で検出した車速Ｖが入力されているとともに、図２に示すように、ロータ位置検出回路１３から出力されるロータ回転角θｍとが入力され、さらに電流検出回路３４Ａ及び３４Ｂから出力される三相電動モータ１２の第１の多相モータ巻線Ｌ１及び第２の多相モータ巻線Ｌ２の各相のコイルから出力されるモータ電流Ｉ１ｄ及びＩ２ｄが入力されている。
【００２０】
制御演算装置３１では、モータ駆動回路３２Ａ及び３２Ｂの正常時には操舵トルクＴ及び車速Ｖをもとに予め設定された図５に示す正常時操舵補助電流指令値算出マップを参照して操舵補助電流指令値Ｉ１＊及びＩ２＊を算出する。また、制御演算装置３１では、モータ駆動回路３２Ａ又は３２Ｂの異常時には操舵トルクＴ及び車速Ｖをもとに予め設定された図６に示す異常時操舵補助電流指令値算出マップを参照して操舵補助電流指令値Ｉ１＊及びＩ２＊を算出する。
【００２１】
また、制御演算装置３１では、算出した操舵補助電流指令値Ｉ１＊及びＩ２＊とロータ回転角θｍとに基づいてｄ−ｑ座標系の目標ｄ軸電流指令値Ｉｄ＊及び目標ｑ軸電流指令値Ｉｑ＊を算出し、算出したｄ軸電流指令値Ｉｄ＊及びｑ軸電流指令値Ｉｑ＊をｄｑ相−３相変換してＵ相電流指令値Ｉｕ＊、Ｖ相電流指令値Ｉｂ＊及びＷ相電流指令値Ｉｗ＊を算出する。そして、算出したＵ相電流指令値Ｉｕ＊、Ｖ相電流指令値Ｉｖ＊及びＷ相電流指令値Ｉｗ＊と電流検出回路３４Ａ及び３４Ｂで検出した電流検出値の相毎の加算値との電流偏差ΔＩｕ、ΔＩｖ及びΔＩｗを算出し、これら電流偏差ΔＩｕ、ΔＩｂ及びΔＩｗについて例えばＰＩ制御演算又はＰＩＤ制御演算を行って第１及び第２のモータ駆動回路３２Ａ及び３２Ｂに対する３相の電圧指令値Ｖ１＊及びＶ２＊を算出し、算出した３相の電圧指令値Ｖ１＊及びＶ２＊を第１及び第２のモータ駆動回路３２Ａ及び３２Ｂに出力する。
【００２２】
また、制御演算装置３１には、第１及び第２のモータ電流遮断回路３３Ａ及び３３Ｂと３相電動モータ１２の第１及び第２の３相モータ巻線Ｌ１及びＬ２との間に設けられた異常検出回路３５Ａ及び３５Ｂで検出したモータ電流検出値Ｉ１ｕｄ、Ｉ１ｖｄ、Ｉ１ｗｄ及びＩ２ｕｄ、Ｉ２ｖｄ、Ｉ２ｗｄが入力されている。そして、制御演算装置３１は、入力されるモータ電流検出値Ｉ１ｕｄ〜Ｉ１ｗｄ及びＩ２ｕｄ〜Ｉ２ｗｄと自身が算出した各相電流指令値Ｉｕ＊、Ｉｖ＊及びＩｗ＊とを比較して後述する第１及び第２のインバータ回路４２Ａ及び４２Ｂを構成するスイッチング素子としての電界効果トランジスタ（ＦＥＴ）Ｑ１〜Ｑ６のオープン故障及びショート故障を検出する異常検出部３１ａを備えている。この異常検出部３１ａでは、第１及び第２のインバータ回路４２Ａ及び４２Ｂを構成する電界効果トランジスタ（ＦＥＴ）のオープン故障又はショート故障を検出したときに、異常を検出したモータ駆動回路３２Ａ又は３２Ｂのゲート駆動回路４１Ａ又は４１Ｂに対して論理値“１”の異常検出信号ＳＡａ又はＳＡｂを出力する。
【００２３】
第１及び第２のモータ駆動回路３２Ａ及び３２Ｂのそれぞれは、制御演算装置３１から出力される３相の電圧指令値Ｖ１＊及びＶ２＊が入力されてゲート信号を形成するとともに、異常時電流制御部を兼ねるゲート駆動回路４１Ａ及び４１Ｂと、これらゲート駆動回路４１Ａ及び４１Ｂから出力されるゲート信号が入力される第１及び第２のインバータ回路４２Ａ及び４２Ｂとを備えている。
ゲート駆動回路４１Ａ及び４１Ｂのそれぞれは、制御演算装置３１から電圧指令値Ｖ１＊及びＶ２＊が入力されると、これら電圧指令値Ｖ１＊及びＶ２＊と三角波のキャリア信号Ｓｃとをもとにパルス幅変調（ＰＷＭ）した６つのゲート信号を形成し、これらゲート信号をインバータ回路４２Ａ及び４２Ｂに出力する。
【００２４】
また、ゲート駆動回路４１Ａは、制御演算装置３１から入力される異常検出信号ＳＡａが論理値“０”（正常）であるときには、モータ電流遮断回路３４Ａに対してハイレベルの３つのゲート信号を出力するとともに、電源遮断回路４４Ａに対してハイレベルの２つのゲート信号を出力し、異常検出信号ＳＡａが論理値“１”（異常）であるときにはモータ電流遮断回路３３Ａに対してローレベルの３つのゲート信号を同時に出力し、モータ電流を遮断するとともに、電源遮断回路４４Ａに対してローレベルの２つのゲート信号を同時に出力し、バッテリー電力を遮断する。
【００２５】
同様に、ゲート駆動回路４１Ｂは、制御演算装置３１から入力される異常検出信号ＳＡｂが論理値“０”（正常）であるときには、モータ電流遮断回路３４Ｂに対してハイレベルの３つのゲート信号を出力するとともに、電源遮断回路４４Ｂに対してハイレベルの２つのゲート信号を出力し、異常検出信号ＳＡｂが論理値“１”（異常）であるときにはモータ電流遮断回路３３Ｂに対してローレベルの３つのゲート信号を同時に出力し、モータ電流を遮断するとともに、電源遮断回路４４Ｂに対してローレベルの２つのゲート信号を同時に出力し、バッテリー電力を遮断する。
【００２６】
第１及び第２のインバータ回路４２Ａ及び４２Ｂのそれぞれは、ノイズフィルタ４３及び電源遮断回路４４Ａ及び４４Ｂを介してバッテリー２２のバッテリー電流が入力され、入力側に平滑用の電解コンデンサＣＡ及びＣＢが接続されている。
これら第１及び第２のインバータ回路４２Ａ及び４２Ｂは、６個のスイッチング素子としての電界効果トランジスタ（ＦＥＴ）Ｑ１〜Ｑ６を有し、２つの電界効果トランジスタを直列に接続した３つのスイッチングアームＳＡｕ、ＳＡｖ及びＳＡｗを並列に接続した構成を有する。そして、各電界効果トランジスタＱ１〜Ｑ６のゲートにゲート駆動回路４１Ａ及び４１Ｂから出力されるゲート信号が入力されることにより、各スイッチングアームＳＡｕ、ＳＡｖ及びＳＡｗの電界効果トランジスタ間からＵ相電流Ｉｕ、Ｖ相電流Ｉｖ及びＷ相電流Ｉｗがモータ電流遮断回路３３Ａ及び３３Ｂを介して３相電動モータ１２の第１及び第２の３相モータ巻線Ｌ１及びＬ２に出力する。
【００２７】
また、図示しないがインバータ回路４２Ａ及び４２Ｂの各スイッチングアームＳＡｕ、ＳＡｖ及びＳＡｗと接地との間に介挿されたシャント抵抗の両端電圧が電流検出回路３４Ａ及び３４Ｂに入力され、これら電流検出回路３４Ａ及び３４Ｂでモータ電流Ｉ１ｕ〜Ｉ１ｗ及びＩ２ｕ〜Ｉ２ｗが検出される。
また、モータ電流遮断回路３３Ａは、３つの電流遮断用の電界効果トランジスタＱＡ１、ＱＡ２及びＱＡ３を有する。電界効果トランジスタＱＡ１のソースが第１のインバータ回路４２ＡのスイッチングアームＳＡｕのトランジスタＱ１及びＱ２の接続点に接続され、ドレインが異常検出回路３５Ａを介して第１の３相モータ巻線Ｌ１のＵ相コイルＬ１ｕに接続されている。また、電界効果トランジスタＱＡ２のソースが第１のインバータ回路４２ＡのスイッチングアームＳＡｖのトランジスタＱ３及びＱ４の接続点に接続され、ドレインが異常検出回路３５Ａを介して第１の３相モータ巻線Ｌ１のＶ相コイルＬ１ｖに接続されている。さらに、電界効果トランジスタＱＡ３のソースが第１のインバータ回路４２ＡのスイッチングアームＳＡｗのトランジスタＱ５及びＱ６の接続点に接続され、ドレインが異常検出回路３５Ａを介して第１の３相モータ巻線Ｌ１のＷ相コイルＬ１ｗに接続されている。
【００２８】
また、モータ電流遮断回路３３Ｂは、３つの電流遮断用の電界効果トランジスタＱＢ１、ＱＢ２及びＱＢ３を有する。電界効果トランジスタＱＢ１のソースが第２のインバータ回路４２ＢのスイッチングアームＳＢｕのトランジスタＱ１及びＱ２の接続点に接続され、ドレインが異常検出回路３５Ｂを介して第２の３相モータ巻線Ｌ２のＵ相コイルＬ２ｕに接続されている。また、電界効果トランジスタＱＢ２のソースが第２のインバータ回路４２ＢのスイッチングアームＳＢｖのトランジスタＱ３及びＱ４の接続点に接続され、ドレインが異常検出回路３５Ａを介して第２の３相モータ巻線Ｌ２のＶ相コイルＬ２ｖに接続されている。さらに、電界効果トランジスタＱＢ３のソースが第２のインバータ回路４２ＢのスイッチングアームＳＢｗのトランジスタＱ５及びＱ６の接続点に接続され、ドレインが異常検出回路３５Ａを介して第２の３相モータ巻線Ｌ２のＷ相コイルＬ２ｗに接続されている。
【００２９】
そして、モータ電流遮断回路３３Ａ及び３３Ｂの電界効果トランジスタＱＡ１〜ＱＡ３及びＱＢ１〜ＱＢ３が寄生ダイオードＤのカソードをインバータ回路４２Ａ及び４２Ｂ側として各々が同一向きに接続されている。
また、電源遮断回路４４Ａ及び４４Ｂのそれぞれは、２つの電界効果トランジスタ（ＦＥＴ）ＱＣ１，ＱＣ２及びＱＤ１，ＱＤ２がドレイン同士を接続して寄生ダイオードが逆向きとなる直列回路構成を有する。そして、電界効果トランジスタＱＣ１及びＱＤ１のソースが互いに接続されてノイズフィルタ４３の出力側に接続され、電界効果トランジスタＱＣ２及びＱＤ２のソースが第１及び第２のインバータ回路４２Ｂ及び４２Ｂの各電界効果トランジスタＱ１，Ｑ２及びＱ３のソースに接続されている。
【００３０】
次に、上記第１の実施形態の動作を説明する。
図示しないイグニッションスイッチがオフ状態であって車両が停止していると共に、操舵補助制御処理も停止している作動停止状態であるときには、モータ制御装置２０の制御演算装置３１が非作動状態となっている。このため、制御演算装置３１で実行される操舵補助制御処理及び異常監視処理は停止されている。したがって、電動モータ１２は作動を停止しており、ステアリング機構１０への操舵補助力の出力を停止している。
【００３１】
この作動停止状態からイグニッションスイッチをオン状態とすると、制御演算装置３１が作動状態となり、操舵補助制御処理及び異常監視処理を開始する。このとき、各モータ駆動回路３２Ａ及び３２Ｂのインバータ回路４２Ａ及び４２Ｂにおける各電界効果トランジスタＱ１〜Ｑ６にオープン故障及びショート故障が発生していない正常状態であるものとする。このときには、ステアリングホイール１を操舵していない非操舵状態では、制御演算装置３１で実行する操舵補助制御処理で操舵トルクＴが“０”であり、車速Ｖも“０”であるので、図５の正常時操舵補助電流指令値算出マップを参照して操舵補助電流指令値を算出する。この正常時操舵補助電流指令値算出マップでは、目標とする実線図示の操舵補助電流指令値Ｉｔ＊を算出する特性線Ｌ１に対して各操舵トルクＴに応じて半分の値となる２系統で均等割りした操舵補助電流指令値Ｉ＊が算出される。
【００３２】
そして、算出された操舵補助電流指令値Ｉ＊とロータ位置検出回路１３から入力されるロータ回転角θｒとに基づいてｄ軸電流指令値Ｉｄ＊及びｑ軸電流指令値Ｉｑ＊を算出し、算出したｄ軸電流指令値Ｉｄ＊及びｑ軸電流指令値Ｉｑ＊をｄｑ二相−三相変換処理を行ってＵ相電流指令値Ｉｕ＊、Ｖ相電流指令値Ｉｖ＊及びＷ相電流指令値Ｉｗ＊を算出する。
【００３３】
さらに、各相電流指令値Ｉｕ＊、Ｉｖ＊及びＩｗ＊と電流検出回路３４Ａ及び３４Ｂで検出した各相電流検出値Ｉ１ｄ及びＩ２ｄの加算値との電流偏差ΔＩｕ、ΔＩｖ及びΔＩｗを算出し、算出した電流偏差ΔＩｕ、ΔＩｖ及びΔＩｗをＰＩ制御処理又はＰＩＤ制御処理を行って目標電圧指令値Ｖｕ＊、Ｖｖ＊及びＶｗ＊を算出する。そして、算出した目標電圧指令値Ｖｕ＊、Ｖｖ＊及びＶｗ＊を目標電圧指令値Ｖ１＊及びＶ２＊として第１及び第２のモータ駆動回路３２Ａ及び３２Ｂのゲート駆動回路４１Ａ及び４１Ｂに出力する。また、制御演算装置３１は、インバータ回路４２Ａ及び４２Ｂが正常であるので、論理値“０”の異常検出信号ＳＡａ及びＳＡｂをゲート駆動回路４１Ａ及び４１Ｂに出力する。
【００３４】
このため、ゲート駆動回路４１Ａ及び４１Ｂでは、モータ電流遮断回路３３Ａ及び３３Ｂに対してハイレベルの３つのゲート信号を出力する。このため、モータ電流遮断回路３３Ａ及び３３Ｂの電界効果トランジスタＱＡ１〜ＱＡ３及びＱＢ１〜ＱＢ３がオン状態となって、インバータ回路４２Ａ及び４２Ｂと３相電動モータ１２の３相モータ巻線Ｌ１及びＬ２との間が導通状態となって、３相電動モータ１２に対する通電制御が可能な状態となる。
【００３５】
これと同時に、ゲート駆動回路４１Ａ及び４１Ｂから電源遮断回路４４Ａ及び４４Ｂに対してハイレベルのゲート信号を出力する。このため、電源遮断回路４４Ａ及び４４Ｂの電界効果トランジスタＱＣ１，ＱＣ２及びＱＤ１，ＱＤ２がオン状態となってバッテリー２２からの直流電流がノイズフィルタ４３を介してインバータ回路４２Ａ及び４２Ｂに供給される。
【００３６】
さらに、ゲート駆動回路４１Ａ及び４１Ｂでは、制御演算装置３１から入力される電圧指令値Ｖ１＊及びＶ２＊に基づいてパルス幅変調を行ってゲート信号を形成し、形成したゲート信号をインバータ回路４２Ａ及び４２Ｂの各電界効果トランジスタＱ１〜Ｑ６のゲートに供給する。
したがって、車両が停止状態で、ステアリングホイール１を操舵していない状態では、操舵トルクＴｓが“０”であるので、操舵補助電流指令値も“０”となって電動モータ１２は停止状態を維持する。しかしながら、車両の停止状態または車両の走行開始状態でステアリングホイール１を操舵して所謂据え切りを行うと、操舵トルクＴｓが大きくなることにより、図５を参照して、大きな目標操舵補助電流指令値Ｉｔ＊を半分に均等割りした操舵補助電流指令値Ｉ＊が算出され、これに応じた大きな電圧指令値Ｖ１＊及びＶ２＊がゲート駆動回路４１Ａ及び４１Ｂに供給される。このため、ゲート駆動回路４１Ａ及び４１Ｂから大きな電圧指令値Ｖ１＊及びＶ２＊に応じたデューティ比のゲート信号がインバータ回路４２Ａ及び４２Ｂに出力される。このため、インバータ回路４２Ａ及び４２Ｂから操舵補助電流指令値Ｉ＊に応じた１２０度の位相差を有するＵ相電流Ｉ１ｕ、Ｖ相電流Ｉ１ｖ、Ｗ相電流Ｉ１ｗ及びＩ２ｕ、Ｉ２ｖ及びＩ３ｗが出力され、これらがモータ電流遮断回路３３Ａ及び３３Ｂの各相に対応する電界効果トランジスタＱＡ１〜ＱＡ３及びＱＢ１〜ＱＢ３を通って３相電動モータ１２の３相モータ巻線Ｌ１及びＬ２の各相コイルＬ１ｕ〜Ｌ１ｗ及びＬ２ｕ〜Ｌ２ｗに供給される。
【００３７】
これにより、電動モータ１２が回転駆動されて、操舵トルクＴｓに応じた目標操舵補助電流値Ｉｔ＊に対応する大きな操舵補助力を発生し、この操舵補助力が減速ギヤ１１を介して出力軸２ｂに伝達される。このため、ステアリングホイール１を軽い操舵力で操舵することができる。
その後、車速Ｖｓが増加すると、これに応じて算出される操舵補助電流指令値が据え切り時に比較して低下して電動モータ１２で操舵トルクＴｓ及び車速Ｖｓに応じて適度に減少させた操舵補助力を発生する。
【００３８】
このように、インバータ回路４２Ａ及び４２Ｂが正常で、３相電動モータ１２に供給されるモータ電流Ｉｕ、Ｉｖ及びＩｗが正常である場合には、操舵トルクＴｓ及び車速Ｖｓに最適なモータ電流が３相電動モータ１２に供給される。
この正常状態から、第１及び第２のモータ駆動回路３２Ａ及び３２Ｂの第１及び第２のインバータ回路４２Ａ及び４２Ｂの一方例えばインバータ回路４２Ｂの例えば下アーム側の電界効果トランジスタＱ２、Ｑ４及びＱ６の何れか１つ又は複数にショート故障が発生すると、ショート故障を生じたスイッチングアームＳＢｉ（ｉ＝ｕ，ｖ，ｗ）からモータ電流遮断回路３３Ａに出力されるモータ電流Ｉｉが流れなくなることから、異常検出部３１ａで各相電流指令値Ｉｉ＊と比較したときに、ショート故障の発生による異常を検出することができる。また、図３の異常検出回路３５Ａ，３５Ｂでの電圧検出値が所定の電圧とならず異常を検出することができる。
【００３９】
このように、モータ駆動回路３２Ｂのインバータ回路４２Ｂにショート故障が発生すると、異常検出信号ＳＡａは論理値“０”に維持されるが、異常検出信号ＳＡｂが論理値“１”となる。このため、インバータ回路４２Ｂの６個のゲート駆動を全てオフすると共に、モータ駆動回路３２Ｂのゲート駆動回路４１Ｂからモータ電流遮断回路３３Ｂに対してローレベルの３つのゲート信号を同時に出力し、さらに電源遮断回路４４Ｂに対してローレベルの２つのゲート信号を同時に出力する。
【００４０】
このため、モータ電流遮断回路３３Ｂでは、各相の電界効果トランジスタＱＢ１〜ＱＢ３がオフ状態となり、３相電動モータ１２の第２の３相モータ巻線Ｌ２の各相コイルＬ２ｕ〜Ｌ２ｗに対する通電が遮断される。
これと同時に、電源遮断回路４４Ｂでも、電界効果トランジスタＱＤ１及びＱＤ２がオフ状態に制御され、バッテリー２２及び第２のインバータ回路４２Ｂとの間の通電路が遮断される。このとき、電界効果トランジスタＱＤ１及びＱＤ２は寄生ダイオードが互いに逆方向となるようにドレイン同士が接続されたた直列接続構成を有するので、バッテリー２２及びショート故障を生じた第２のインバータ回路４２Ｂ間の双方向の電流路が確実に遮断されることになる。
【００４１】
ちなみに、電源遮断回路４４Ａ及び４４Ｂを１つの電界効果トランジスタで構成した場合には、この電界効果トランジスタの寄生ダイオードのアノードからカソードへの電流は遮断することができず、バッテリー２２及びインバータ回路４２Ａ及び４２Ｂ間を確実に遮断することはできないが、本実施形態では２つの電界効果トランジスタＱＣ１，ＱＣ２及びＱＤ１，ＱＤ２を寄生ダイオードの向きを極性が逆となるように接続しているので、寄生ダイオードを通じて流れる電流を確実に遮断することができる。
【００４２】
そして、この異常状態を検出すると、制御演算装置３１では、図６に示す異常時操舵補助電流指令値算出マップを参照して操舵補助電流指令値Ｉ＊を算出する。このため、算出される操舵補助電流指令値Ｉ＊がインバータ回路４２Ａ及び４２Ｂで流すことが可能な電流値までは正常時の目標操舵補助電流指令値Ｉｔ＊すなわちインバータ回路４２Ａ及び４２Ｂの双方を動作させている場合と同じ電流指令値となる。したがって、許容電流値に達するまでは正常時の操舵と全く同じ操舵補助力を３相電動モータ１２で発生させることができ、運転者に違和感を与えることがない。しかも、ある程度の車速Ｖｓで走行している状態では、必要な操舵補助力も小さくなるので、異常発生を運転者に感じさせることがなく操舵補助制御を継続することができる。しかしながら、大きな操舵補助力を必要とする据え切り時や極低速走行時の操舵時には運転者に異常の発生を感知させることができ、修理が必要なことを警告することができる。
【００４３】
さらに、ショート故障が発生して第２のモータ駆動回路３２Ｂ側のモータ電流遮断回路３３Ｂを遮断状態としても、第１のモータ駆動回路３２Ａから電流を供給する第１の３相モータ巻線Ｌ１の各相コイルＬ１ｕａ〜Ｌ１ｕｃ、Ｌ１ｖａ〜Ｌ１ｖｃ及びＬ１ｗａ〜Ｌ１ｗｃが、図３に示すように、ステータ１２Ｓの全周にわたって均等に配置されているので、トルクリップルを最小限に抑制することができ、良好な操舵性能を確保することができる。
【００４４】
また、第２のインバータ回路４２Ｂに代えて第１のインバータ回路４２Ａにショート故障が生じた場合には、モータ駆動回路３２Ａに対応するモータ電流遮断回路３３Ａで３相電動モータ１２へのモータ電流の供給を遮断するとともに、電源遮断回路４４Ａで第１のインバータ回路４２Ａへのバッテリー電流の供給を遮断する。そして、正常な第２のモータ駆動回路３２Ｂを上記と同様に制御することにより、許容電流値に達するまでは正常時と全く同様の操舵補助力を発生することができる。
【００４５】
ちなみに、モータ電流遮断回路３３Ａ及び３３Ｂを省略した場合には、モータ駆動回路３２Ａ及び３２Ｂの何れか一方にショート故障が発生した場合に、ショート故障が発生したインバータ回路が３相電動モータ１２の３相モータ巻線Ｌ１又はＬ２に接続されたままとなる。３相電動モータ１２が回された場合には、コイル部に発生する起電力が、ショート故障となった電界効果トランジスタの隣りにある電界効果トランジスタの寄生ダイオードを介して、循環電流が流れブレーキ力を発生してしまう。このため、正常のモータ駆動回路３２Ａ又は３２Ｂで３相電動モータ１２を駆動することによる回生電流がショート故障したインバータ回路に供給されて回生制動状態となり、３相電動モータ１２で発生する操舵補助力が大きく低下してしまい、運転者に違和感を与えることになる。このため、回生制動に打ち勝つように正常なインバータ回路を動作させると損失が増大し、インバータ回路及び３相電動モータに過熱が発生するため、操舵補助を継続時間が制限される。
【００４６】
また、第１及び第２のモータ駆動回路３２Ａ及び３２Ｂの第１及び第２のインバータ回路４２Ａ及び４２Ｂで電界効果トランジスタＱ１〜Ｑ６がオン状態に反転することなくオフ状態を継続するオフ故障すなわちオープン故障を生じた場合にも、異常検出部３１ａで異常を検出することができ、異常となったモータ駆動回路３２Ａ又は３２Ｂのモータ電流遮断回路３３Ａ又は３３Ｂ及び電源遮断回路４４Ａ又は４４Ｂを遮断状態に制御して、正常なモータ駆動回路で、上述したと同様に許容電流に達するまでの間正常時と同一の操舵補助制御を行うことができる。
このように、上記第１の実施形態によると、第１及び第２のモータ駆動回路３２Ａ及び３２Ｂの何れか一方のインバータ回路４２Ａ又は４２Ｂに異常が発生したときに、正常なモータ駆動回路で正常時と同等の操舵補助制御を継続することができる。
【００４７】
なお、上記第１の実施形態では、ゲート駆動回路４１Ａ及び４１Ｂでパルス幅変調に使用するキャリア信号を同期させた場合について説明したが、これに限定されるものではなく、ゲート駆動回路４１Ａ及び４１Ｂでキャリア信号の位相を発生ノイズか分散するようにずらして非同期とするようにしてもよい。この場合には、パルス幅変調に使用する高周波（たとえは２０ｋＨｚ程度）のキャリア信号の位相をゲート駆動回路４１Ａ及び４１Ｂでずらして非同期とすることにより、インバータ回路４２Ａ及び４２Ｂを構成するスイッチング素子としての電界効果トランジスタＱ１〜Ｑ６のスイッチングによるノイズを分散させることができ、伝導、放射ノイズのピーク値を抑制することができる効果を得ることができる。
【００４８】
次に、本発明の第２の実施形態を図７について説明する。
この第２の実施形態では、上述した第１の実施形態において、制御演算装置３１を第１及び第２のモータ駆動回路３２Ａ及び３２Ｂに対応させて２組設けるようにしたものである。
すなわち、第２の実施形態では、図７に示すように、第１及び第２のモータ駆動回路３２Ａ及び３２Ｂに対応させて前述した図２における制御演算装置３１と同一構成を有する個別の制御演算装置３１Ａ及び３１Ｂを設けている。
【００４９】
そして、制御演算装置３１Ａで第１のモータ駆動回路３２Ａに供給する電圧指令値Ｖ１＊及び異常検出信号ＳＡａを形成し、形成した電圧指令値Ｖ１＊及び異常検出信号ＳＡａをモータ駆動回路３２Ａのゲート駆動回路４１Ａに出力する。
同様に、制御演算装置３１Ｂで第２のモータ駆動回路３２Ｂに供給する電圧指令値Ｖ２＊及び異常検出信号ＳＡｂを形成し、形成した電圧指令値Ｖ２＊及び異常検出信号ＳＡｂをモータ駆動回路３２Ｂのゲート駆動回路４１Ｂに出力する。
【００５０】
ここで、制御演算装置３１Ａ及び３１Ｂは相互監視機能を有し、両者の演算結果を比較したり、ウォッチドッグタイマの動作等を互いに監視したりして、制御演算装置３１Ａ及び３１Ｂの一方例えば３１Ｂ（又は３１Ａ）が異常となったときに、他方の制御演算装置３１Ａ（又は３１Ｂ）が検出することが可能となる。このため、制御演算装置の異常を検出したときに、正常な制御演算装置で異常となった制御演算装置で制御されるモータ駆動回路を代替制御することも可能となる。
【００５１】
この第２の実施形態によると、制御演算装置３１Ａ及び３１Ｂで個別に操舵補助制御処理及び異常制御処理を実行することにより、前述した第１の実施形態と同様に、モータ駆動回路３２Ａ及び３２Ｂのインバータ回路４２Ａ及び４２Ｂの何れか一方にショート故障又はオープン故障が生じたときに、正常なモータ駆動回路で操舵補助制御を継続することができる。したがって、上記第１実施形態と同様の作用効果を得ることができる。
【００５２】
しかも、第２の実施形態によると、制御演算装置３１Ａ及び３１Ｂ間で相互監視を行うことができ、制御演算装置３１Ａ及び３１Ｂの一方に異常が発生した場合でも正常な制御演算装置で第１実施形態と同様の異常時制御を行うことができるとともに、一方の制御演算装置３１Ａ（又は３１Ｂ）が異常となったことを検出したときに、正常な制御演算装置３１Ｂ（又は３１Ａ）でモータ駆動回路３２Ａ及び３２Ｂを制御可能に構成しておくことにより、制御演算装置に異常が発生した場合でも正常な操舵補助制御を継続することができる効果を発揮することができる。
【００５３】
なお、上記第１及び第２の実施形態においては、３相電動モータ１２に２系統の第１及び第２の３相モータ巻線Ｌ１及びＬ２を巻装し、これら第１及び第２の３相モータ巻線Ｌ１及びＬ２に個別の第１及び第２のモータ駆動回路３２Ａ及び３２Ｂを設ける場合について説明したが、これに限定されるものではなく、３系統以上のモータ巻線を設けるとともに、モータ巻線毎に個別のモータ駆動回路及びモータ電流遮断回路を設けるようにしてもよい。
【００５４】
次に、本発明の第３の実施形態を図８及び図９について説明する。
この第３の実施形態では、前述した第１及び第２の実施形態において、３相電動モータ１２の構成を図８に示すように、前述した第１の実施形態におけるステータ１２Ｓにおける第２の３相モータ巻線Ｌ２のティースＴに対する巻き方向を第１の３相モータ巻線Ｌ１のティースＴに対する巻き方向とは逆巻きとし、且つ第２の３相モータ巻線Ｌ２に流れる電流の方向も第１の３相モータ巻線Ｌ１に流れる電流の方向と逆方向に設定している。
【００５５】
さらに、第１及び第２のモータ駆動回路３２Ａ及び３２Ｂにおける第１及び第２のインバータ回路４２Ａ及び４２Ｂから出力する相電流Ｉ１ｕ〜Ｉ１ｗ及びＩ２ｕ〜Ｉ２ｗの位相を図９に示すように１８０度ずらして逆位相となるように設定している。
このように、第２の実施形態によると、３相電動モータ１２の各ティースＴに巻装される第１及び第２の３相モータ巻線Ｌ１及びＬ２の同相コイルＬ１ｕａ〜Ｌ１ｕｃ及びＬ２ｕａ〜Ｌ２ｕｃ、Ｌ１ｖａ〜Ｌ１ｖｃ及びＬ２ｖａ〜Ｌ２ｖｃ並びにＬ１ｗａ〜Ｌ１ｗｃ及びＬ２ｗａ〜Ｌ２ｗｃに流れる電流が逆方向であるが、巻き方向も逆方向であるので、ティースＴに発生する磁束は前述した第１の実施形態と同様の磁束を発生させることができ、３相電動モータ１２で必要な操舵補助力を発生することができる。
【００５６】
しかしながら、同相コイルＬ１ｕａ〜Ｌ１ｕｃ及びＬ２ｕａ〜Ｌ２ｕｃ、Ｌ１ｖａ〜Ｌ１ｖｃ及びＬ２ｖａ〜Ｌ２ｖｃ並びにＬ１ｗａ〜Ｌ１ｗｃ及びＬ２ｗａ〜Ｌ２ｗｃとで流れる電流の方向は図８に示すように逆方向であり、相電圧Ｖ１ｕ〜Ｖ１ｗ及びＶ２ｕ〜Ｖ２ｗはその１相分Ｖ１ｕａ及びＶ２ｕａを表すと図９（ａ）及び（ｂ）に示すようにパルス幅変調された逆位相の矩形波であって、相電流も曲線Ｌｒで示すように逆位相の正弦波となる。
このため、両者のリップル電流ＩＬも、図９（ｃ）及び（ｄ）に示すように、逆位相となり、ＥＭＩ等の外部へのノイズは互いに相殺される。したがって、リップル電流ＩＬによる加振を抑制してノイズ音や振動の発生を抑制することができる。
【００５７】
さらに、相電流Ｉ１ｕのオフからオンへの又はその逆へのスイッチングタイミングと相電流Ｉ２ｕのオンからオフへの又はその逆へのスイッチングタイミングとが等しいので、スイッチングノイズも互いに逆位相となって相殺される。
したがって、上記第３の実施形態では前述した第１の実施形態と同様の効果が得られる他、スイッチングノイズやリップル電流による加振を抑制してより静音性及び制振性の高いモータ制御装置、電動パワーステアリング装置及び車両を提供することができる。
【００５８】
次に、本発明の第４の実施形態を図１０について説明する。
この第４の実施形態は、電源遮断回路の構成を簡略化するようにしたものである。
すなわち、第４の実施形態では、図１０に示すように、前述した第１の実施形態における図２の構成において、電源遮断回路４４Ａ及び４４Ｂにおける逆直列の電界効果トランジスタＱＣ１，ＱＣ２及びＱＤ１，ＱＤ２のうちの一方の電界効果トランジスタＱＣ１及びＱＤ１を残し、他方の電界効果トランジスタＱＣ２及びＱＤ２を共通化すべくノイズフィルタ４３と電源遮断回路４４Ａ及び４４Ｂとの分岐点との間に共通の電界効果トランジスタＱＥを有する共通電源遮断回路４４Ｃを配置したものである。
【００５９】
ここで、電界効果トランジスタＱＥは、ドレインがノイズフィルタ４３に接続され、ソースが電源遮断回路４４Ａ及び４４Ｂに接続され、さらにゲートがゲート駆動回路４１Ａ及び４１ＢにダイオードＤＡ及びＤＢを介して接続されている。
この第４の実施形態によると、電源遮断回路が電源遮断回路４４Ａ、４４Ｂ及び４４Ｃの３つで構成されているが、実際に電源を遮断するための電源遮断素子としては電界効果トランジスタＱＣ１、ＱＤ１及びＱＥの３つの半導体スイッチ素子で構成することができ、半導体スイッチ素子を前述した第１の実施形態に比較して１つ省略してこの分部品点数を減少させることができ、モータ制御装置２０の製造コストを低減することができるとともに、プリント基板上の電源遮断回路４４Ａ〜４４Ｃの占有面積を減少させることができ、プリント基板を小型化することができる。
【００６０】
次に、本発明の第５の実施形態を図１１について説明する。
この第５の実施形態では、前述した第２の実施形態に前述した第４の実施形態を適用したものである。
すなわち、第５の実施形態では、前述した第４の実施形態において、制御演算装置３１を第１及び第２のモータ駆動回路３２Ａ及び３２Ｂに対して個別の制御演算装置３１Ａ及び３１Ｂを設けるようにしたものである。
【００６１】
したがって、この第５の実施形態でも、前述した第２の実施形態と同様の作用効果を得ることができるとともに、前述した第４の実施形態と同様に電源遮断回路を構成する電界効果トランジスタの個数を１つ省略することができ、モータ制御装置２０の製造コストを低減することができるとともに、プリント基板上の電源遮断回路４４Ａ〜４４Ｃの占有面積を減少させて、プリント基板を小型化することができる。
【００６２】
なお、上記第１〜第５の実施形態においては、３相電動モータ１２のステータ１２Ｓを１つの磁極となるティースＴに対して２系統の第１及び第２の３相モータ巻線Ｌ１及びＬ２の相コイルを相毎に半径方向外側及び内側に巻装する場合について説明したが、これに限定されるものではなく、図１２に示すように、ステータ１２ＳのティースＴの数を相数×２ｎ（ｎは１以上の整数）で例えばｎ＝２に設定して８極、１２スロットの構成とし、１２本のティースＴに、順次第１系統となる相コイルＬ１ｕａ、Ｌ１ｖａ、Ｌ１ｗａを時計方向に順に同一の巻回方向で巻装し、次いで、第２系統となる相コイルＬ２ｕａ、Ｌ２ｖａ及びＬ２ｗａを時計方向に順に同一の巻回方向で巻装し、さらに第１系統となる相コイルＬ１ｕｂ、Ｌ１ｖｂ、Ｌ１ｗｂを時計方向に順に同一の巻回方向で巻装し、最後に、第２系統となる相コイルＬ２ｕｂ、Ｌ２ｖｂ及びＬ２ｗｂを時計方向に順に同一の巻回方向で巻装するようにしてもよい。
【００６３】
この場合には、第１系統となる３相モータ巻線Ｌ１の相コイルＬ１ｕａ〜Ｌ１ｗｃと第２系統となる３相モータ巻線Ｌ２の相コイルＬ２ｕａ〜Ｌ２ｗｃとがティースＴに時計方向に交互に配置されることになる。このため、１つのティースＴへの相コイルＬ１ｕａ〜Ｌ１ｗｃ及び相コイルＬ２ｕａ〜Ｌ２ｗｃとの巻装が１種類で済むので、コイルの巻装を容易に行うことができる。
【００６４】
また、ロータ１２Ｒからの磁束がそれぞれの磁極群毎（９０°毎）にコイルと鎖交するため、それぞれの磁極群毎で構成されたモータ特性に対して相互の影響を極めて少なくすることができる。例えば、一方のモータ駆動回路３２Ａ（又は３２Ｂ）にショート故障が発生して、このモータ駆動回路３２を遮断するまでの過渡的なショート電流が発生してももう一方のコイルに与える影響を極めて少なくすることができる。
【００６５】
さらには、図１４に示すように、上記図１２の構成において、第１系統の３相モータ巻線Ｌ１の相コイルＬ１ｕａ〜Ｌ１ｗａ及びＬ１ｕｂ〜Ｌ１ｗｂの巻回方向と第２系統の３相モータ巻線Ｌ２の相コイルＬ２ｕａ〜Ｌ２ｗａ及びＬ２ｕｂ〜Ｌ２ｗｂの巻回方向とが逆方向となるように設定するようにしてもよい。
この場合にも、ロータ１２Ｒからの磁束がそれぞれの磁極群毎（９０°毎）にコイルと鎖交するため、それぞれの磁極群で構成されたモータ特性に対して相互の影響を極めて少なくすることができる。例えば、一方のモータ駆動回路３２Ａ（又は３２Ｂ）にショート故障が発生して、このモータ駆動回路３２を遮断するまでの過渡的なショート電流が発生してももう一方のコイルに与える影響を極めて少なくすることができる。
【００６６】
このため、両者のリップル電流ＩＬも、図９（ｃ）及び（ｄ）に示すように、逆位相となり、ＥＭＩ等の外部へのノイズは互いに相殺される。したがって、リップル電流ＩＬによる加振を抑制してノイズ音や振動の発生を抑制することができる。
さらに、相電流Ｉ１ｕのオフからオンへの又はその逆へのスイッチングタイミングと相電流Ｉ２ｕのオンからオフへの又はその逆へのスイッチングタイミングとが等しいので、スイッチングノイズも互いに逆位相となって相殺される。
【００６７】
したがって、上記第３の実施形態では前述した第１の実施形態と同様の効果が得られる他、スイッチングノイズやリップル電流による加振を抑制してより静音性及び制振性の高いモータ制御装置、電動パワーステアリング装置及び車両を提供することができる。
正常動作時には、各々１／２の出力を発生でき、万一故障しても１／２のモータ特性を出力することができる。モータ軸周りで対称のラジアル発生力で相殺できることから、軸にラジアル力が影響することがない。しかも、故障時の出力も温度上昇が許容できる範囲内で、正常時の１／２以上のモータ特性を出力することができる。
【００６８】
また、上記各実施形態においては、電動モータが３相電動モータである場合について説明したが、これに限定されるものではなく、４相以上の多相電動モータにも本発明を適用することができる。
また、上記各実施形態においては、本発明によるモータ制御装置を電動パワーステアリング装置に適用した場合について説明したが、これに限定されるものではなく、電動ブレーキ装置、ステアバイワイヤシステム、車両走行用のモータ駆動装置等の電動モータを使用する任意のシステムに本発明を適用することができる。
【符号の説明】
【００６９】
１…ステアリングホイール、２…ステアリングシャフト、３…操舵トルクセンサ、８…ステアリングギヤ、１０…操舵補助機構、１２…３相電動モータ、２０…モータ制御装置、２１…車速センサ、２２…バッテリー、３１，３１Ａ，３１Ｂ…制御演算装置、３２Ａ…第１のモータ駆動回路、３２Ｂ…第２のモータ駆動回路、３３Ａ…第１のモータ電流遮断回路、３３Ｂ…第２のモータ電流遮断回路、３４Ａ，３４Ｂ…電流検出回路、３５Ａ…第１の異常検出回路、３５Ｂ…第２の異常検出回路、４１Ａ，４１Ｂ…ゲート駆動回路、４２Ａ…第１のインバータ回路、４２Ｂ…第２のインバータ回路、４３…ノイズフィルタ、４４Ａ…第１の電源遮断回路、４４Ｂ…第２の電源遮断回路
【図１】
2014176215.tif 000003
【図２】
2014176215.tif 000004
【図３】
2014176215.tif 000005
【図４】
2014176215.tif 000006
【図５】
2014176215.tif 000007
【図６】
2014176215.tif 000008
【図７】
2014176215.tif 000009
【図８】
2014176215.tif 000010
【図９】
2014176215.tif 000011
【図１０】
2014176215.tif 000012
【図１１】
2014176215.tif 000013
【図１２】
2014176215.tif 000014
【図１３】
2014176215.tif 000015
【図１４】
2014176215.tif 000016
【手続補正書】
【提出日】平成26年4月7日(2014.4.7)
【手続補正１】
【補正対象書類名】特許請求の範囲
【補正対象項目名】全文
【補正方法】変更
【補正の内容】
【特許請求の範囲】
【請求項１】
多相電動モータを駆動制御するモータ制御装置であって、
前記多相電動モータは、ステータに少なくとも２系統となる第１及び第２の多相モータ巻線を巻装した構成を有し、
前記多相電動モータを駆動する指令値を出力する指令値演算部と、
該指令値演算部から出力される指令値に基づいて前記第１及び第２の多相モータ巻線に個別に第１及び第２の多相モータ駆動電流を供給する第１及び第２のモータ駆動回路と、
前記第１及び前記第２のモータ駆動回路と前記第１及び第２の多相モータ巻線との間に個別に介挿された多相の第１及び第２のモータ電流遮断部と、
前記第１及び前記第２の多相モータ駆動電流あるいは電圧の異常を個別に検出する第１及び第２の異常検出部と、
該第１及び第２の異常検出部の何れか一方で少なくとも一相のモータ駆動電流あるいは電圧の異常を検出したときに、異常を検出した側のモータ電流遮断部を電流遮断状態に制御する異常時電流制御部とを備え、
前記第１及び第２のモータ駆動回路は、前記第１及び第２の多相モータ巻線に供給するモータ駆動電流のスイッチングタイミングが同時になるように設定するとともに、前記第１及び第２のモータ駆動回路は、前記第１及び第２の多相モータ駆動電流を出力する第１及び第２のインバータ回路に供給するスイッチングキャリア信号を同期させたことを特徴とするモータ制御装置。
【請求項２】
多相電動モータを駆動制御するモータ制御装置であって、
前記多相電動モータは、ステータに少なくとも２系統となる第１及び第２の多相モータ巻線を巻装した構成を有し、
前記多相電動モータを駆動する指令値を出力する指令値演算部と、
該指令値演算部から出力される指令値に基づいて前記第１及び第２の多相モータ巻線に個別に第１及び第２の多相モータ駆動電流を供給する第１及び第２のモータ駆動回路と、
前記第１及び前記第２のモータ駆動回路と前記第１及び第２の多相モータ巻線との間に個別に介挿された多相の第１及び第２のモータ電流遮断部と、
前記第１及び前記第２の多相モータ駆動電流あるいは電圧の異常を個別に検出する第１及び第２の異常検出部と、
該第１及び第２の異常検出部の何れか一方で少なくとも一相のモータ駆動電流あるいは電圧の異常を検出したときに、異常を検出した側のモータ電流遮断部を電流遮断状態に制御する異常時電流制御部とを備え、
前記第１及び第２のモータ駆動回路は、前記第１及び第２の多相モータ駆動電流を出力する第１及び第２のインバータ回路に供給するスイッチングキャリア信号の周期を発生ノイズが分散するようにずらして非同期としたことを特徴とするモータ制御装置。
【請求項３】
前記第１及び第２のモータ駆動回路に供給されるモータ駆動指令値は等分配されたモータトルク指令値であり、
前記指令値演算部は、前記第１及び第２の異常検出部で多相モータ駆動電流あるいは電圧の異常を検出したときに、正常なモータ駆動回路に対するモータ駆動指令値として許容電流値に達するまでは正常時のモータ駆動指令値の合計を表すモータトルク指令値を設定することを特徴とする請求項１又は２にモータ制御装置。
【請求項４】
前記第１及び第２の異常検出部は、前記第１及び第２のインバータ回路を構成するスイッチング素子のオープン故障及びショート故障を検出するように構成されていることを特徴とする請求項１乃至３のいずれか１項に記載のモータ制御装置。
【請求項５】
前記指令値演算部は、前記第１及び第２のモータ駆動回路に個別に対応する第１及び第２の指令値演算部で構成され、該第１及び第２の指令値演算部は演算動作を相互監視し、一方の指令値演算部が他方の指令値演算部の異常を検出したときに、異常となった指令値演算部の動作を停止させるとともに、前記対応するモータ電流遮断部を遮断する遮断指令を前記異常時電流制御部に出力することを特徴とする請求項１乃至４のいずれか１項に記載のモータ制御装置。
【請求項６】
前記第１及び第２の異常時電流制御部は、異常を検出したときに、前記第１及び第２のモータ電流遮断部における異常側の各相遮断部を同時に遮断することを特徴とする請求項１乃至５のいずれか１項に記載のモータ制御装置。
【請求項７】
前記各相遮断部は、寄生ダイオードの向きが同一方向となるように介挿された電界効果トランジスタで構成されていることを特徴とする請求項６に記載のモータ制御装置。
【請求項８】
前記第１及び第２のモータ駆動回路は、前記第１及び第２のインバータ回路と電源供給源との間に個別に第１及び第２の電源遮断部が介挿されていることを特徴とする請求項１又は２に記載のモータ制御装置。
【請求項９】
前記第１及び第２の電源遮断部のそれぞれは複数の電源遮断素子を直列に接続した構成を有することを特徴とする請求項８に記載のモータ制御装置。
【請求項１０】
前記第１及び第２の電源遮断部は一部の電源遮断素子を共通化した構成を有することを特徴とする請求項９に記載のモータ制御装置。
【請求項１１】
前記第１及び第２の電源遮断部は、寄生ダイオードを有するスイッチング素子で構成され、各スイッチング素子が寄生ダイオードの向きが逆方向となるように逆直列接続されていることを特徴とする請求項９に記載のモータ制御装置。
【請求項１２】
前記第１及び第２の電源遮断部は、一部のスイッチング素子が共通化されていることを特徴とする請求項１１に記載のモータ制御装置。
【請求項１３】
前記多相電動モータは、前記第１及び第２の多相モータ巻線のうちロータに対して同位相となる巻線が同一磁極に巻回されていることを特徴とする請求項１乃至１２のいずれか１項に記載のモータ制御装置。
【請求項１４】
同一磁極に巻回された第１及び第２の多相モータ巻線の磁極に対する巻回方向が逆方向とされ、且つ電流方向が逆方向となるように設定されていることを特徴とする請求項１３に記載のモータ制御装置。
【請求項１５】
前記第１及び第２のモータ駆動回路は、前記第１及び第２の多相モータ巻線のうちロータに対して同位相となる巻線に電流位相が互いに逆相となるモータ駆動電流を供給することを特徴とする請求項１４に記載のモータ制御装置。
【請求項１６】
前記多相電動モータは、ステータのスロット数が相数×２ｎ（ｎは２以上の整数）に設定され、当該スロット間の磁極に第１の多相モータ巻線及び第２の多相モータ巻線が交互に巻装されていることを特徴とする請求項１乃至１２のいずれか１項に記載のモータ制御装置。
【請求項１７】
前記第１の多相モータ巻線及び第２の多相モータ巻線の磁極に対する巻回方向が互いに逆方向となるように設定されていることを特徴とする請求項１６に記載のモータ制御装置。
【請求項１８】
ステアリング機構に操舵補助力を発生させる電動モータを含むモータ制御装置を前記請求項１乃至１７のいずれか１項に記載のモータ制御装置で構成したことを特徴とする電動パワーステアリング装置。
【請求項１９】
前記請求項１乃至１７の何れか１項に記載のモータ制御装置を備えたことを特徴とする車両。
【手続補正２】
【補正対象書類名】明細書
【補正対象項目名】０００６
【補正方法】変更
【補正の内容】
【０００６】
上記目的を達成するために、本発明に係るモータ制御装置の一態様は、多相電動モータを駆動制御するモータ制御装置であって、前記多相電動モータは、ステータに少なくとも２系統となる第１及び第２の多相モータ巻線を巻装した構成を有し、前記多相電動モータを駆動する指令値を出力する指令値演算部と、該指令値演算部から出力される指令値に基づいて前記第１及び第２の多相モータ巻線に個別に第１及び第２の多相モータ駆動電流を供給する第１及び第２のモータ駆動回路と、前記第１及び前記第２のモータ駆動回路と前記第１及び第２の多相モータ巻線との間に個別に介挿された多相の第１及び第２のモータ電流遮断部と、前記第１及び前記第２の多相モータ駆動電流あるいは電圧の異常を個別に検出する第１及び第２の異常検出部と、該第１及び第２の異常検出部の何れか一方で少なくとも一相のモータ駆動電流あるいは電圧の異常を検出したときに、異常を検出した側のモータ電流遮断部を電流遮断状態に制御する異常時電流制御部とを備え、前記第１及び第２のモータ駆動回路は、前記第１及び第２の多相モータ巻線に供給するモータ駆動電流のスイッチングタイミングが同時になるように設定するとともに、前記第１及び第２のモータ駆動回路は、前記第１及び第２の多相モータ駆動電流を出力する第１及び第２のインバータ回路に供給するスイッチングキャリア信号を同期させている。
また、本発明に係るモータ制御装置の別態様は、多相電動モータを駆動制御するモータ制御装置であって、前記多相電動モータは、ステータに少なくとも２系統となる第１及び第２の多相モータ巻線を巻装した構成を有し、前記多相電動モータを駆動する指令値を出力する指令値演算部と、該指令値演算部から出力される指令値に基づいて前記第１及び第２の多相モータ巻線に個別に第１及び第２の多相モータ駆動電流を供給する第１及び第２のモータ駆動回路と、前記第１及び前記第２のモータ駆動回路と前記第１及び第２の多相モータ巻線との間に個別に介挿された多相の第１及び第２のモータ電流遮断部と、前記第１及び前記第２の多相モータ駆動電流あるいは電圧の異常を個別に検出する第１及び第２の異常検出部と、該第１及び第２の異常検出部の何れか一方で少なくとも一相のモータ駆動電流あるいは電圧の異常を検出したときに、異常を検出した側のモータ電流遮断部を電流遮断状態に制御する異常時電流制御部とを備え、前記第１及び第２のモータ駆動回路は、前記第１及び第２の多相モータ駆動電流を出力する第１及び第２のインバータ回路に供給するスイッチングキャリア信号の周期を発生ノイズが分散するようにずらして非同期としてある。